(57)【要約】【課題】環境負荷を低減しながら空気を冷却できる基礎ユニットと、これを用いて仮設建屋の室内を冷却できる仮設建築物とを提供すること。【解決手段】基礎ユニット１は、床下の空気を室内に導入可能に構成された仮設建屋５の基礎に用いられるものである。基礎ユニット１は、上方から見たとき仮設建屋５の外形に沿って配された基礎骨格部２と、基礎骨格部２に組み込まれた吸水可能な多孔質体からなる冷却部材３とを有している。基礎骨格部２は、立設する複数の基礎柱２１と、複数の基礎柱２１の上部同士を接続する上方基礎梁２２と、複数の基礎柱２１の下部同士を接続する下方基礎梁２３とを有している。基礎骨格部２には、互いに接続された基礎柱２１と上方基礎梁２２と下方基礎梁２３とに囲まれて形成された開口部２３２に、冷却部材３を配してあり、冷却部材３は貫通形成された複数の通風口３０を備えている。【選択図】図１
2014091951.tif 000002
【特許請求の範囲】
【請求項１】
床下の空気を室内に導入可能に構成された仮設建屋の基礎に用いられる基礎ユニットであって、
上方から見たとき上記仮設建屋の外形に沿って配された基礎骨格部と、
該基礎骨格部に組み込まれた吸水可能な多孔質体からなる冷却部材とを有しており、
上記基礎骨格部は、立設する複数の基礎柱と、該複数の基礎柱の上部同士を接続する上方基礎梁と、上記複数の基礎柱の下部同士を接続する下方基礎梁とを有し、
互いに接続された上記基礎柱と上記上方基礎梁と上記下方基礎梁とに囲まれて形成された開口部に、上記冷却部材を配してあり、該冷却部材は貫通形成された複数の通風口を備えていることを特徴とする基礎ユニット。
【請求項２】
請求項１に記載の基礎ユニットにおいて、上記冷却部材に水分を供給する給水手段を備えていることを特徴とする基礎ユニット。
【請求項３】
請求項１又は２に記載の基礎ユニットにおいて、上記下方基礎梁の上面には、上方から見たとき上記冷却部材の外周全周を囲むと共に、上記冷却部材の高さよりも低い高さに立設した貯水壁面を備えていることを特徴とする基礎ユニット。
【請求項４】
請求項１〜３のいずれか一項に記載の基礎ユニットにおいて、上記冷却部材は、対向して配される一対の固定板と、該一対の固定板の間に配される複数の仕切り板とを有しており、上記一対の固定板における対向面には、互いに対応した位置に形成された上記仕切り板を配置可能な複数の配置凹部と、隣り合う上記配置凹部の間に配され上記配置凹部よりも突出する配置凸部とを備えており、上記一対の固定板における上記配置凹部に上記仕切り板を配置すると共に上記一対の固定板によって上記仕切り板を挟持することで、上記複数の仕切り板と上記一対の固定板との間に形成された空隙からなる通風口を形成することを特徴とする基礎ユニット。
【請求項５】
請求項１〜４のいずれか一項に記載の基礎ユニットにおいて、上記冷却部材は、ケイ酸カルシウムによって形成されていることを特徴とする基礎ユニット。
【請求項６】
請求項１〜５のいずれか一項に記載の基礎ユニットと、
該基礎ユニット上に配される仮設建屋とを有し、
上記仮設建屋は、上記基礎ユニットの上部を覆う床面パネルと、
該床面パネルの外周縁部から立設する壁面パネルと、
該壁面パネルの上端部を覆う天井面パネルと、
上記床面パネルと上記壁面パネルと上記天井面パネルとによって囲まれて形成された室内の空気を排出する排気手段と、
上記基礎ユニットの内側の空気を室内に流入させるための空気流路を備えていることを特徴とする仮設建築物。
【請求項７】
請求項６に記載の仮設建築物において、上記仮設建屋の床面パネルには、上記基礎ユニットの内側と連通し、上記空気流路をなす複数の吸気口が形成されていることを特徴とする仮設建築物。
【請求項８】
請求項６又は７に記載の仮設建築物において、上記仮設建屋は、データセンターに用いられることを特徴とする仮設建築物。
【発明の詳細な説明】
【技術分野】
【０００１】
本発明は、仮設建屋の基礎に用いられる基礎ユニットと、これを備えた仮設建築物に関する。
【背景技術】
【０００２】
従来、仮設住宅、仮設店舗や、屋外に配されるデータセンター等には、設置及び撤去を比較的容易に行うことができる仮設建築物が用いられている。このような仮設建築物は、地面に形成された基礎と、基礎上に設けられた仮設建屋とによって構成されている。
仮設建屋は、金属製の骨格部材に、壁面、天井面、床面をなす各パネルを配して構成されたプレハブタイプやコンテナタイプ等が知られている。
【０００３】
このような仮設建屋は、密閉性が高い一方で、室内における有効スペースを少しでも大きくすることが求められることから、断熱材の厚さを確保しにくく、仮設建屋自体の断熱性能が低くなりやすい。そのため、仮設建屋の室内温度は、気候や外気温の影響を受けやすい。特に夏季には、高い密閉性を有するがゆえに、室内に熱がこもりやすく、室内温度が外気よりも高温となる場合もある。それゆえ、快適な室内温度とするために特許文献１に示されたように、空調機器を備えることが多い。
【先行技術文献】
【特許文献】
【０００４】
【特許文献１】特開２００１−８１９８６号公報
【発明の概要】
【発明が解決しようとする課題】
【０００５】
しかしながら、特許文献１の仮設建築物には、以下の課題がある。
上述したごとく、仮設建築物は断熱性能が低くなりやすいうえ、近年、パソコンやテレビなど、電気機器、電気設備の設置が増大していることから、室内における発熱量が増大し、仮設建築物における空調効率が低下する。したがって、仮設建築物における室内の温度を下げるために、冷却容量の大きい空調機器の導入が必要となったり、空調機器の使用頻度が増大することとなる。これらは、電力消費量の増大及び空調機器からの屋外排熱の増加につながり、ヒートアイランドを助長し、環境負荷が増大することとなる。
【０００６】
本発明は、かかる背景に鑑みてなされたものであり、環境負荷を低減しながら空気を冷却できる基礎ユニットと、これを用いて仮設建屋の室内を冷却できる仮設建築物とを提供しようとするものである。
【課題を解決するための手段】
【０００７】
本発明の一態様は、床下の空気を室内に導入可能に構成された仮設建屋の基礎に用いられる基礎ユニットであって、
上方から見たとき上記仮設建屋の外形に沿って配された基礎骨格部と、
該基礎骨格部に組み込まれた吸水可能な多孔質体からなる冷却部材とを有しており、
上記基礎骨格部は、立設する複数の基礎柱と、該複数の基礎柱の上部同士を接続する上方基礎梁と、上記複数の基礎柱の下部同士を接続する下方基礎梁とを有し、
互いに接続された上記基礎柱と上記上方基礎梁と上記下方基礎梁とに囲まれて形成された開口部に上記冷却部材を配してあり、該冷却部材は貫通形成された複数の通風口を備えていることを特徴とする基礎ユニットにある（請求項１）。
【０００８】
本発明の他の態様は、上記基礎ユニットと、
該基礎ユニット上に配される仮設建屋とを有しており、
該仮設建屋は、上記基礎ユニットの上部を覆う床面パネルと、
該床面パネルの外周縁部から立設する壁面パネルと、
該壁面パネルの上端部を覆う天井面パネルと、
上記床面パネルと上記壁面パネルと上記天井面パネルとによって囲まれて形成された室内の空気を排出する排気手段と、
上記基礎ユニットの内側の空気を室内に流入させるための空気流路を備えていることを特徴とする仮設建築物にある（請求項６）。
【発明の効果】
【０００９】
上記基礎ユニットには、上述のごとく、上記基礎骨格部に上記冷却部材を組み込んである。該冷却部材は、水分を吸水すると、水分との間で熱交換を行い冷却される。また、吸水された水分が蒸発することにより、上記冷却部材から潜熱を奪うため、上記冷却部材がさらに冷却される。そして、冷却された上記冷却部材の上記通風口に空気を流通させると、上記冷却部材と空気との間において熱交換が行われて空気が冷却される。この冷却された空気を仮設建屋の室内に導入することにより、室内を冷却することができる。
【００１０】
また、上記仮設建築物は、上記基礎ユニットによって冷却された空気を上記仮設建屋の室内に導入可能に構成されている。これにより、上記仮設建屋の室内を効率よく冷却することができる。
【００１１】
以上のごとく、本発明によれば、環境負荷を低減しながら空気を冷却できる基礎ユニットと、これを用いて仮設建屋の室内を冷却できる仮設建築物とを提供することができる。
【図面の簡単な説明】
【００１２】
【図１】実施例１における、仮設建築物の断面図（図２のＡ−Ａ線矢視断面図）。
【図２】図１における、Ｂ−Ｂ線矢視断面図。
【図３】実施例１における、仮設建屋の床面を示す説明図。
【図４】図３における、Ｃ−Ｃ線矢視断面図。
【図５】図１のＤ矢視における、基礎ユニットの部分拡大図。
【図６】図５のＥ矢視における、基礎ユニットの部分拡大図。
【図７】実施例１における、基礎ユニットの上面視図。
【図８】図６における、Ｆ−Ｆ線矢視断面図。
【図９】実施例１における、冷却部材の説明図。
【図１０】（ａ）実施例１における固定板の平面図、（ｂ）固定板の側面図。
【図１１】実施例１における、冷却部材の側面図。
【発明を実施するための形態】
【００１３】
上記基礎ユニットは、上記冷却部材に水分を供給する給水手段を備えていてもよい（請求項２）。この場合には、上記冷却部材に水分を安定して供給し、上記冷却部材によって継続して空気を冷却することができる。
【００１４】
また、上記下方基礎梁の上面には、上方から見たとき上記冷却部材の外周全周を囲むと共に、上記冷却部材の高さよりも低い高さに立設した貯水壁面を備えていてもよい（請求項３）。この場合、上記下方基礎梁の上面に配置された上記冷却部材は、上記貯水壁面の内側に貯留された水分を、上記冷却部材が有する孔の毛細管力によって効率よく吸水することができる。また、上記貯水壁面の高さを上記冷却部よりも低く設定することによって、流れを妨げることなく、上記冷却部材の通風口に空気を流通することができる。これにより、上記冷却部材における冷却効率を向上することができる。
【００１５】
また、上記冷却部材は、対向して配される一対の固定板と、該一対の固定板の間に配される複数の仕切り板とを有しており、上記一対の固定板における対向面には、互いに対応した位置に形成された上記仕切り板を配置可能な複数の配置凹部と、隣り合う上記配置凹部の間に配され上記配置凹部よりも突出する配置凸部とを備えており、上記一対の固定板における上記配置凹部に上記仕切り板を配置すると共に上記一対の固定板によって上記仕切り板を挟持することで、上記複数の仕切り板と上記一対の固定板との間に形成された空隙からなる通風口を形成していてもよい（請求項４）。
【００１６】
この場合には、上記冷却部材が、単純な形状からなる上記一対の固定板及び上記複数の仕切り板によって構成されている。そのため、上記固定板及び上記仕切り板を容易に製造することができる。また、上記一対の固定板及び上記複数の仕切り板を上記冷却部材とする組み立て作業に関しても特別な技術は必要とせず容易に行うことができる。このように、上記冷却部材の製造を容易とし、その生産効率を向上すると共に価格を安価にすることができる。
【００１７】
また、上記冷却部材は、ケイ酸カルシウムによって形成されていてもよい（請求項５）。ケイ酸カルシウムは、適度な大きさの孔を多数有していることから優れた毛細管力を備えており、吸水性に優れると共に吸水した水分を効率よく蒸発させることができる。また、ケイ酸カルシウムは、加工性に優れ、アルカリ性を有する材料である。したがって、上記冷却部材による冷却性能を向上すると共に、上記冷却部材における藻やカビの発生を抑制することができる。また、切削等の加工が容易であるため、上記冷却部材の製造を容易とし、生産効率を向上することができる。
【００１８】
上記仮設建築物において、上記仮設建屋の床面パネルには、上記基礎ユニットの内側と連通し、上記空気流路をなす複数の吸気口が形成されていてもよい（請求項７）。この場合には、上記空気流路を単純な構造によって形成することができる。これにより、仮設建屋の構造を簡略化し、生産効率の向上及びコスト低減を図ることができる。
【００１９】
また、上記仮設建屋は、データセンターに用いてもよい（請求項８）。データセンターは、各種コンピュータやサーバー等を収めたものである。コンピュータやサーバーは排熱を排出するため、室内がより高温となりやすく、空調にかかる電力消費量は多大である。したがって、上記仮設建屋をデータセンターに用いることにより、空調に用いられる電力消費量を削減することができる。
【実施例】
【００２０】
（実施例１）
基礎ユニット及びこれを用いた仮設建築物にかかる実施例について、図１〜図１１を参照して説明する。
図１に示すごとく、基礎ユニット１は、床下の空気を室内に導入可能に構成された仮設建屋５の基礎に用いられるものである。図５〜図７に示すごとく、基礎ユニット１は、上方から見たとき仮設建屋５の外形に沿って配された基礎骨格部２と、基礎骨格部２に組み込まれた吸水可能な多孔質体からなる冷却部材３とを有している。
【００２１】
図５〜図７に示すごとく、基礎骨格部２は、立設する複数の基礎柱２１と、複数の基礎柱２１の上部同士を接続する上方基礎梁２２と、複数の基礎柱２１の下部同士を接続する下方基礎梁２３とを有している。基礎骨格部２には、互いに接続された基礎柱２１と上方基礎梁２２と下方基礎梁２３とに囲まれて形成された開口部２３２に、冷却部材３を配してあり、冷却部材３は貫通形成された複数の通風口３０を備えている。
【００２２】
以下、さらに詳細に説明する。
図１に示すごとく、本例に示す仮設建築物１００は、コンテナ型データセンターを形成するものである。
【００２３】
図１、図５及び図６に示すごとく、基礎ユニット１は、基礎骨格部２と、基礎骨格部２に組み込まれた冷却部材３とを有している。
基礎骨格部２は、立設する６つの基礎柱２１と、各基礎柱２１の上端部同士を繋ぐように配された６つの上方基礎梁２２と、各基礎柱２１の下端部同士を繋ぐように配された６つの下方基礎梁２３とを有している。
【００２４】
図７に示すごとく、６つの基礎柱２１は、略正方形断面を有する角柱状をなしており、上方から見たとき仮設建屋５の外形をなす長方形における４つの角部と、長方形における２つの長辺の中央とにそれぞれ１つずつ立設している。
【００２５】
図８に示すごとく、上方基礎梁２２は、Ｈ形鋼からなり、一対のフランジ２２１が上下方向に位置するように配されている。上方に配されたフランジ２２１の下面には、外周縁部から垂下する保持壁面２２２が形成されている。保持壁面２２２は、冷却部材３の上端側の一部を囲んでいる。図７に示すごとく、各上方基礎梁２２は、上方から見たとき仮設建屋５の外周に沿って配されており、その両端部は、ボルトを用いて基礎柱２１の上端部に締結固定されている。
【００２６】
図８に示すごとく、下方基礎梁２３は、Ｈ形鋼からなり、一対のフランジ２３２が上下方向に位置するように配されている。下方に配されたフランジ２３２の上面には、外周縁部の全周から立設した貯水壁面２３１が形成されており、冷却部材３の下端側の一部を囲んでいる。図７に示すごとく、各下方基礎梁２３は、上方から見たとき仮設建屋５の外周に沿って配されており、その両端部は、ボルトを用いて基礎柱２１の下端部に締結固定されている。
【００２７】
上記のごとく構成された基礎骨格部２は、図示しないアンカーボルトによって地面に固定されている。図５及び図６に示すごとく、基礎骨格部２において、一対の基礎柱２１、上方基礎梁２２及び下方基礎梁２３に囲まれた開口部２３２が６箇所に形成されている。
【００２８】
図８に示すごとく上方基礎梁２２と下方基礎梁２３との間には、水分を供給するための吸水手段の先端に配された給水ホース４が配されている。給水ホース４は、図示しない給水ポンプと接続されており、所定量の水分を給水ホース４から供給可能に構成されている。本例においては、水位Ｈを維持するように給水量を設定してある。
【００２９】
図５及び図６に示すごとく、基礎骨格部２の各開口部２３２の内側には、冷却部材３が組み込まれている。図９に示すごとく、冷却部材３は、一対の固定板３１と、該一対の固定板３１によって挟持された複数の仕切り板３２とを有している。尚、冷却部材３を構成する一対の固定板３１及び複数の仕切り板３２は、いずれも多孔質構造を有するケイ酸カルシウムからなる。
【００３０】
図１０及び図１１に示すごとく、一対の固定板３１は、互いに対向して配されており、対向面にはそれぞれ凹凸部３１２が形成されている。凹凸部３１２は、固定板３１の長手方向Ｌと直交する幅方向Ｗに沿って形成された複数の配置凹部３１３と、隣り合う配置凹部３１３の間に配された配置凸部３１４とを有している。
【００３１】
図１０に示すごとく、配置凹部３１３の幅寸法ｄ１は、仕切り板３２の厚さ寸法と対応しており、配置凹部３１３の内側に仕切り板３２を配置可能に構成されている。
配置凸部３１４は、配置凹部３１３よりも突出して形成されており、その幅寸法ｄ２は、仕切り板３２の厚さ寸法と対応している。
【００３２】
図１１に示すごとく、一対の固定板３１の間に配された仕切り板３２は、略長方形状の板材からなる。仕切り板３２の一対の固定板３１の間に挟持された状態における幅方向Ｗの幅寸法は、固定板３１と同一の寸法に設定してある。また、仕切り板３２の高さ寸法は、開口部２３２に冷却部材３を配置した際に、上方に配された固定板３１が、上方基礎梁２２における保持壁面２２２の内側に位置するように設定してある。
【００３３】
図９及び図１１に示すごとく、構成された一対の固定板３１における配置凹部３１３に仕切り板３２を配置すると共に一対の固定板３１によって仕切り板３２を挟持することで、複数の仕切り板３２と一対の固定板３１との間に形成された空隙からなる通風口３０を形成している。尚、通風口３０の長さは、一対の固定板３１及び仕切り板３２の幅方向Ｗの幅寸法によって決まる。通風口３０の長さが長いほど、冷却部材３との接触面積が大きくなるため、冷却部材３における冷却性能を向上することができる。その一方で、通風口３０の長さが長いほど、流通する空気の空気抵抗が増大するため、通風口３０の長さは、５０ｍｍ〜３００ｍｍの範囲とすることが好ましい。
【００３４】
図１に示すごとく、基礎ユニット１上には、コンテナタイプの仮設建屋５が配されている。仮設建屋５は、図示しないコンピュータ、サーバー及び電源等を室内に備えており、図示しない建屋骨格部と、建屋骨格部に配された６枚のパネルとを有している。６枚のパネルは、基礎ユニット１上に配される床面パネル５１と、床面パネル５１と対向して配され天井面を形成する天井面パネル５５と、床面パネル５１の外周縁と天井面パネル５５の外周縁とを繋ぐように配された４枚の壁面パネル５３とを有している。尚、各パネルは鉄鋼材料からなる板材によって形成されている。
【００３５】
図３に示すごとく、仮設建屋５の床面パネル５１は、基礎ユニット１に面して配される底面部材５１１と、底面部材５１１の上面に配された複数の立設部材５１３とを備えている。
底面部材５１１には、一直線上に配された複数の床面貫通孔５１２が形成されており、各床面貫通孔５１２の間には立設部材５１３が配されている。
【００３６】
図３に示すごとく、各床面貫通孔５１２の間に配された立設部材５１３は、底面部材５１１から立設する立設本体部５１４とその上端部から垂直方向両側に向かって形成された立設フランジ部５１５とを備えた略Ｔ字形の断面形状をなしている。隣り合う立設部材５１３は、互いの立設フランジ部５１５の間に隙間が形成されるように配されている。
【００３７】
図２〜図４に示すごとく、床面パネル５１の上面には、内装床板５２が配されている。内装床板５２には、貫通形成された略長方形状の内装側貫通孔５２１が８つ形成されており、その内側にはパンチングメタルが配されている。
図４に示すごとく、底面部材５１１、立設部材５１３及び内装床板５２の間に形成された空間は、床面貫通孔５１２から内装側貫通孔５２１へと通じる空気流路５０を形成している。
【００３８】
図２に示すごとく、上方から見たとき、長手方向の一方に配された壁面パネル５３には、開閉可能な扉５３２が配された出入り口５３１が形成されている。図１に示すごとく、壁面パネル５３における上端部側の位置には、格子状に形成された天井フレーム５４１と天井フレーム５４１の下面に固定された内装天井材５４２とが配されている。
内装天井材５４２は、貫通形成された内装排気孔５４３を有しており、内装排気孔５４３に空気を流通可能に構成されている。また、内装排気孔５４３の内側にはパンチングメタルが配されている。
【００３９】
図１に示すごとく、床面パネル５１と対向して配された天井面パネル５５は、貫通形成された３つの天井排気孔５５１と角天井排気孔５５１にそれぞれ配された排気手段５６とを有している。
排気手段５６は、排風機からなり、図示しないファンを回転させることにより、仮設建屋５における室内の空気を室外に排出可能に構成されている。
【００４０】
上記のごとく構成された基礎ユニット１と仮設建屋５とを備えた仮設建築物１００において、排気手段５６を作動させると、仮設建屋５における室内の空気は、内装排気孔５４３及び天井排気孔５５１を通じて室外へと排気される。これに伴い、床面パネル５１の内部に形成された空気流路５０を通じて仮設建屋５の床下である基礎ユニット１の内側の空気が仮設建屋５内に導入される。
【００４１】
基礎ユニット１においては、その内側の空気が仮設建屋５内へと導入されることにより、基礎ユニット１の外側の空気が冷却部材３の通風口３０を通じて流入する。冷却部材３は、水分を吸水すると、水分との間で熱交換を行い冷却される。また、吸水された水分が蒸発することにより、冷却部材３から潜熱を奪うため、冷却部材３がさらに冷却される。そして、冷却された冷却部材３の通風口３０に空気を流通させると、冷却部材３と空気との間において熱交換が行われて空気が冷却される。この冷却された空気を仮設建屋５の室内に導入することにより、室内を冷却することができる。
【００４２】
また、基礎ユニット１は、冷却部材３に水分を供給する給水手段を備えている。そのため、冷却部材３に水分を安定して供給し、冷却部材３によって継続して空気を冷却することができる。
【００４３】
また、下方基礎梁２３の上面には、上方から見たとき冷却部材３の外周全周を囲むと共に、冷却部材３の高さよりも低い高さに立設した貯水壁面２３１を備えている。そのため、下方基礎梁２３の上面に配置された冷却部材３は、貯水壁面２３１の内側に貯留された水分を、冷却部材３が有する孔の毛細管力によって効率よく吸水することができる。また、貯水壁面２３１の高さを冷却部材３よりも低く設定することによって、流れを妨げることなく、冷却部材３の通風口３０に空気を流通することができる。これにより、冷却部材３における冷却効率を向上することができる。
【００４４】
また、冷却部材３は、対向して配される一対の固定板３１と、該一対の固定板３１の間に配される複数の仕切り板３２とを有しており、一対の固定板３１における対向面には、互いに対応した位置に形成された仕切り板３２を配置可能な複数の配置凹部３１３と、隣り合う配置凹部３１３の間に配され配置凹部３１３よりも突出する配置凸部３１４とを備えており、一対の固定板３１における配置凹部３１３に仕切り板３２を配置すると共に一対の固定板３１によって仕切り板３２を挟持することで、複数の仕切り板３２と一対の固定板３１との間に形成された空隙からなる通風口３０を形成している。
【００４５】
そのため、冷却部材３が、単純な形状からなる一対の固定板３１及び複数の仕切り板３２によって構成されている。そのため、固定板３１及び仕切り板３２を容易に製造することができる。また、一対の固定板３１及び複数の仕切り板３２を冷却部材３とする組み立て作業に関しても特別な技術は必要とせず容易に行うことができる。このように、冷却部材３の製造を容易とし、その生産効率を向上すると共に価格を安価にすることができる。
【００４６】
また、冷却部材３は、ケイ酸カルシウムによって形成されている。ケイ酸カルシウムは、適度な大きさの孔を多数有していることから優れた毛細管力を備えており、吸水性に優れると共に吸水した水分を効率よく蒸発させることができる。また、ケイ酸カルシウムは、加工性に優れ、アルカリ性を有する材料である。したがって、冷却部材３による冷却性能を向上すると共に、冷却部材３における藻やカビの発生を抑制することができる。また、切削等の加工が容易であるため、冷却部材３の製造を容易とし、生産効率を向上することができる。
【００４７】
また、仮設建築物１００は、基礎ユニット１によって冷却された空気を仮設建屋５の室内に導入可能に構成されている。これにより、仮設建屋５の室内を効率よく冷却することができる。
【００４８】
また、仮設建屋５の床面パネルには、基礎ユニット１の内側と連通し、空気流路５０をなす複数の吸気口が形成されている。この場合には、空気流路５０を単純な構造によって形成することができる。これにより、仮設建屋５の構造を簡略化し、生産効率の向上及びコスト低減を図ることができる。
【００４９】
また、仮設建屋５は、データセンターに用いている。データセンターは、各種コンピュータやサーバー等を収めたものである。コンピュータやサーバーは排熱を排出するため、室内がより高温となりやすく、空調にかかる電力消費量は多大である。したがって、仮設建屋５をデータセンターに用いることにより、空調に用いられる電力消費量を削減することができる。
【００５０】
以上のごとく、本発明によれば、環境負荷を低減しながら空気を冷却できる基礎ユニット１と、これを用いて仮設建屋５の室内を冷却できる仮設建築物１００とを提供することができる。
【符号の説明】
【００５１】
１  基礎ユニット
２  基礎骨格部
２１  基礎柱
２２  上方基礎梁
２３  下方基礎梁
２３２  開口部
３  冷却部材
３０  通風口
５  仮設建屋
【図１】
2014091951.tif 000003
【図２】
2014091951.tif 000004
【図３】
2014091951.tif 000005
【図４】
2014091951.tif 000006
【図５】
2014091951.tif 000007
【図６】
2014091951.tif 000008
【図７】
2014091951.tif 000009
【図８】
2014091951.tif 000010
【図９】
2014091951.tif 000011
【図１０】
2014091951.tif 000012
【図１１】
2014091951.tif 000013